(57)【要約】【課題】急迫した状況下であっても、スイッチ操作なしで確実に作動させることの可能な護身装置を提供する。【解決手段】キーワード判断部３４は、マイク２０により集音された外部音声の中にメモリ３６に登録されている護身用キーワードが含まれているかどうかを判断すると共に護身用キーワードであると判断した音声を抽出し、キーワード音声データとして声紋判断部３２へ出力する。声紋判断部３２は、キーワード判断部３４から入力されるキーワード音声データがメモリ３６に登録されたユーザーの声紋データと一致するかどうかを判断し、一致すると判断した場合には、ＣＰＵ３０へ、護身機能作動信号を出力する。ＣＰＵ３０は、護身機能作動信号を受けると、音声発生回路４０へ警報ブザー音の発生、発光制御部４２へ発光の指示を出すと共に、外部音声の録音、及び外部映像の記録の指示を行う。【選択図】  図３
2004171429.tif 000002
【特許請求の範囲】
【請求項１】
ユーザーの声紋、及び護身用のキーワードを記憶可能な記憶手段と、
音声を集音する集音マイクと、
予め定められた護身動作を実行可能な護身手段と、
前記集音マイクにより集音された音声の声紋と前記記憶手段に記憶されたユーザーの声紋とが一致するか否かを判断する声紋判断手段と、
前記集音マイクにより集音された音声に前記護身用のキーワードが含まれているか否かを判断するキーワード判断手段と、
前記集音マイクにより集音された音声の声紋と前記記憶手段に記憶されたユーザーの声紋とが一致すると前記声紋判断手段により判断され、かつ、前記集音マイクにより集音された音声に前記護身用のキーワードが含まれているとキーワード判断部により判断された場合に、前記護身手段を作動させる作動手段と、
を備えた護身装置。
【請求項２】
前記作動手段は、前記集音マイクにより集音された音声が所定の音量以上の場合に前記護身手段を作動させることを特徴とする請求項１に記載の護身装置。
【請求項３】
前記護身手段は被写体を撮像する撮像手段を含むことを特徴とする請求項１または請求項２に記載の護身装置。
【請求項４】
前記護身手段は閃光を出力する閃光手段を含むことを特徴とする請求項１乃至請求項３の何れか１項に記載の護身装置。
【請求項５】
前記護身手段は前記集音マイクにより集音された音声を録音する録音手段を含むことを特徴とする請求項１乃至請求項４の何れか１項に記載の護身装置。
【発明の詳細な説明】
【０００１】
【発明の属する技術分野】
本発明は、護身装置に関する。
【０００２】
【従来の技術】
現代社会においては、護身装置が開発されている。例えば、特許文献１には、相手に電気ショックを与える高電圧銃ヘッド、警報音の発生等の、護身用機能を付加した形態電話の電池セットが記載されている。また、特許文献２には、上記の護身用機能の他に発光及び撮影動作の実行を行うことの可能なカメラが記載されている。
【０００３】
しかしながら、上記の先行技術では、いずれも護身用の機能を動作させるために、ユーザーがスイッチを操作する必要がある。したがって、急迫した状況下においては、スイッチの操作ができず、護身用の機能を動作させることができない場合が生じうる。また、スイッチが誤操作されて、通常時に護身用の機能が作動してしまうといった問題もあった。
【０００４】
【特許文献１】
登実第３０４２０２８号
【特許文献２】
特開２００２−１３５６３７公報
【０００５】
【発明が解決しようとする課題】
本発明は、上記事実を考慮して成されたものであり、急迫した状況下であっても、スイッチ操作なしで確実に作動させることの可能な護身装置を提供することを目的とする。
【０００６】
【課題を解決するための手段】
上記目的を達成するために、本発明の護身装置は、ユーザーの声紋、及び護身用のキーワードを記憶可能な記憶手段と、音声を集音する集音マイクと、予め定められた護身動作を実行可能な護身手段と、前記集音マイクにより集音された音声の声紋と前記記憶手段に記憶されたユーザーの声紋とが一致するか否かを判断する声紋判断手段と、前記集音マイクにより集音された音声に前記護身用のキーワードが含まれているか否かを判断するキーワード判断手段と、前記集音マイクにより集音された音声の声紋と前記記憶手段に記憶されたユーザーの声紋とが一致すると前記声紋判断手段により判断され、かつ、前記集音マイクにより集音された音声に前記護身用のキーワードが含まれているとキーワード判断手段により判断された場合に、前記護身手段を作動させる作動手段と、を含んで構成されている。
【０００７】
本発明の護身装置の記憶手段は、ユーザーの声紋、及び護身用のキーワードを記憶可能とされている。ここで、護身用のキーワードとは、護身装置の護身機能を作動させるためのキーワードであり、例えば、「助けて」「誰か」などの語である。集音マイクでは、音声が集音され、護身手段では予め定められた護身動作が行われる。ここで、護身手段とは、攻撃に対応可能なあらゆる手段をいう。
【０００８】
声紋判断手段では、集音マイクにより集音された音声の声紋と記憶手段に記憶されたユーザーの声紋とが一致するか否かが判断され、キーワード判断手段では、集音マイクにより集音された音声に護身用のキーワードが含まれているか否かが判断される。そして、声紋判断手段により集音マイクで集音された音声の声紋と記憶手段に記憶されたユーザーの声紋とが一致すると判断され、かつ、集音マイクで集音された音声に護身用のキーワードが含まれていると判断された場合に、作動手段によって護身手段が作動される。
【０００９】
すなわち、本発明によれば、ユーザー声による護身用のキーワードが集音されることにより護身手段が作動されるので、急迫時においても、スイッチ操作なしで確実にかつ誤操作なく護身装置の護身手段を作動させることができる。
【００１０】
なお、本発明の護身装置の前記作動手段は、請求項２に記載のように、前記集音マイクにより集音された音声が所定の音量以上の場合に前記護身手段を作動させることを特徴とすることもできる。
【００１１】
護身の必要時の声は、助けを求めたり相手方を怯ませたりするために、通常時の声よりも大きいものである。上記のように、集音された音声が所定の音量以上の場合に護身手段を作動させることにより、通常の会話中に護身用のキーワードが含まれている場合に護身手段が作動されるのを防止することができる。
【００１２】
なお、本発明の護身装置の護身手段としては、例えば、相手に電気ショックを与えることの可能な高電圧銃ヘッド、相手の視力を低減させることの可能な発光動作、警報音の出力、現場の音声や画像を取り込んで所定の連絡先にリアルタイムに送信する送信手段などがあるが、請求項３に記載のように、護身手段が被写体を撮像する撮像手段を含んで構成されることにより、ユーザーが護身用のキーワードを発声することにより、相手方を自動的に撮像することができる。
【００１３】
また、本発明の護身装置の護身手段が請求項４に記載のように、閃光を出力する閃光手段を含んで構成されることにより、ユーザーが護身用のキーワードを発声することにより、自動的に閃光が出力されるので、相手方の目を眩ませたり、相手方の視力を低下させることもできる。
【００１４】
また、本発明の護身装置の護身手段が、請求項５に記載のように、集音マイクにより集音された音声を録音する録音手段を含んで構成されることにより、ユーザーが護身用のキーワードを発声することにより、相手方の声を含む現場の音声を自動的に録音することができる。
【００１５】
【発明の実施の形態】
以下、図面を参照して本発明の実施の形態について説明する。
【００１６】
本実施形態のデジタルカメラ１０は、通常のデジタルカメラとしての機能及び護身装置としの機能を兼ね備えたものである。デジタルカメラ１０は、図１に示すように、前面に発光部１４、撮影レンズ１６、及びマイク２０を備え、上面にシャッターボタン１２を備え、側面にスピーカ１８を備える。シャッターボタン１２は、ユーザーがシャッター操作を行うためのボタンであり、押下によりシャッターが作動される。発光部１４は、閃光を出力可能とされている。撮影レンズ１６は、被写体からの光を後述するＣＣＤ４６に結像させる。スピーカ１８からは所定の音声が出力され、マイク２０は外部の音声を集音する。
【００１７】
デジタルカメラ１０は、図２に示すように、背面にファインダ２２、電源ボタン２４、選択ボタン２５、登録ボタン２６、護身用モードボタン２７、及びモニタ２８を備える。ユーザーは、ファインダ２２から撮影される被写体の確認を行うことができ、電源ボタン２４の押下により、デジタルカメラ１０の電源のオン・オフを行うことができる。また、選択ボタン２５により各種の指示を選択でき、登録ボタン２６により後述する護身用キーワード及び声紋データの登録指示を行うことができる。また、護身用モードボタン２７の押下により、デジタルカメラ１０の一機能である後述する護身用モードのオン・オフを行うことができる。モニタ２８は、デジタルカメラ１０に取り込まれた画像や各種の指示などを表示可能とされている。
【００１８】
図３に示すように、デジタルカメラ１０の内部には、ＣＰＵ３０、声紋判断部３２、キーワード判断部３４、メモリ３６、Ａ／Ｄ変換部３８、音声発生回路４０、発光制御部４２、Ａ／Ｄ変換部４４、ＣＣＤ４６、信号処理部４８、及び表示回路５０が備えられている。これらは、バス５２を介して互いに接続されている。
【００１９】
ＣＰＵ３０は、電源ボタン２４、選択ボタン２５、及び登録ボタン２６と接続されており、電源ボタン２４からの指示による、デジタルカメラ１０のセットアップや動作終了の処理、登録ボタン２６からの指示による護身用キーワードや声紋データの登録処理、選択ボタン２５からの指示による各種処理の実行、その他のデジタルカメラ１０の動作に係る処理を行う。
【００２０】
メモリ３６には、デジタルカメラ１０の制御用の各種プログラム、ユーザーの声紋を特定する声紋データ、後述する護身機能を作動させるための護身用キーワード、デジタルカメラ１０により取り込まれた画像データ、音声データなどが記録されている。
【００２１】
Ａ／Ｄ変換部３８は、マイク２０と接続されており、マイク２０で集音された音声をデジタルデータに変換し、キーワード判断部３４へ出力する。
【００２２】
キーワード判断部３４は、マイク２０により集音された外部音声の中にメモリ３６に登録されている護身用キーワードが含まれているかどうかを判断すると共に護身用キーワードであると判断した音声を抽出し、キーワード音声データとして声紋判断部３２へ出力可能とされている。
【００２３】
声紋判断部３２は、キーワード判断部３４から入力されるキーワード音声データがメモリ３６に登録されたユーザーの声紋データと一致するかどうかを判断可能とされている。
【００２４】
音声発生回路４０は、所定の指示に基づいて、護身用に用いる警報ブザー音をスピーカ１８に出力可能とされている。発光制御部４２は、発光部１４と接続されており、所定の指示に基づいて発光部１４からの発光制御を可能とされている。
【００２５】
Ａ／Ｄ変換部４４は、ＣＣＤ４６と接続されている。ＣＣＤ４６は撮影レンズ１６からの光を受光すると共に受光した光を光電変換する。Ａ／Ｄ変換部４４はＣＣＤ４６からの電気信号をデジタルのデータに変換し、信号処理部４８へ出力する。信号処理部４８は、Ａ／Ｄ変換部４４からのデータに所定の処理を行って所定形式の画像データを作成し、メモリ３６へ出力する。
【００２６】
表示回路５０は、所定の指示に基づいて入力されたデータをモニタ２８に表示可能とされている。
【００２７】
次に、本実施の形態の作用について説明する。
【００２８】
まず、護身用キーワード、及び、声紋データの登録について説明する。ユーザーにより登録ボタン２６が押されると、ＣＰＵ３０で、図４に示す登録処理が行われる。
【００２９】
ステップＳ１０で、表示回路５０へ、録音スタンバイ表示をモニタ２８に行うのための指示信号が出力される。これにより、表示回路５０で所定の信号処理が行われ、モニタ２８に録音スタンバイ表示が行われる。録音スタンバイ表示は、図５（Ａ）に示すように、ユーザーに、録音の開始を指示するための「録音開始」、もしくは登録処理の中止を指示するための「キャンセル」の入力を促す表示である。
【００３０】
ユーザーは選択ボタン２５により「録音開始」もしくは「キャンセル」を選択する。ステップＳ１２でユーザーからの録音開始指示があったかどうかを判断し、ユーザーからの録音開始指示があった場合には、ステップＳ１４で音声の取り込みが開始され、ステップＳ１６で、表示回路５０へ、録音中表示をモニタ２８に行うのための指示信号が出力される。録音中表示は、図５（Ｂ）に示すように、録音中であることを示すと共に、ユーザーに、録音の終了を指示するための「録音終了」、もしくは登録処理の中止を指示するための「キャンセル」の入力を促す表示である。
【００３１】
これにより、表示回路５０で所定の信号処理が行われ、モニタ２８に録音中表示が行われる。ユーザーは、この状態で、護身用キーワードを自ら発声する。護身用キーワードは「たすけて」「だれか」等、ユーザーの希望する任意の語とすることができる。ここでは、護身用キーワードとして「たすけて」を登録することとする。なお、ステップＳ１２でユーザーからの録音開始指示がなかった場合、すなわち、「キャンセル」が選択された場合、もしくは、一定時間指示がなかった場合には、本処理を終了する。
【００３２】
ユーザーは、護身用キーワードの発声後、選択ボタン２５により「録音終了」を選択する。なお、ユーザーは、「キャンセル」を選択することにより登録処理を中止することもできる。
【００３３】
ステップＳ１８では、ユーザーから録音終了指示があったかどうかを判断し、ユーザーからの録音終了指示があった場合には、ステップＳ２０で、表示回路５０へ、キーワード表示をモニタ２８に行うのための指示信号が出力される。キーワード表示は、図５（Ｃ）に示すように、取り込んだキーワードを表示すると共に、当該キーワードを護身用キーワードとして登録する指示を行うための「登録ＯＫ」、もしくは、当該キーワードを登録しない指示をおこなうための「キャンセル」の入力を促す表示である。
【００３４】
ユーザーは、表示されたキーワードを護身用キーワードとして登録する場合には、「登録ＯＫ」を選択し、表示されたキーワードが所望のキーワードでない等の理由により登録を望まない場合には、「キャンセル」を選択する。
【００３５】
ステップＳ２２では、ユーザーから登録ＯＫの指示があったかどうかを判断し、ユーザーからの登録ＯＫの指示があった場合には、ステップＳ２４で、入力された音声から得られた護身用キーワード、及び、声紋をメモリ３６へ記憶させ、本処理を終了する。なお、ステップＳ２２の判断が否定された場合には、そのまま本処理を終了する。
【００３６】
上記登録処理により、護身用キーワード、及び、ユーザーの声紋データが登録される。
【００３７】
次に、護身機能の作用について説明する。
【００３８】
ユーザーにより護身用モードボタン２７が押されると、キーワード判断部３４では、図６に示すキーワード判断処理が行われ、声紋判断部３２では、図７に示す声紋判断処理が行われる。デジタルカメラ１０において、キーワード判断部３４及び声紋判断部３２が、各々以下の処理状態に入っている状態を護身モードという。
【００３９】
図６に示すように、キーワード判断部３４は、ステップＳ３０で、メモリ３６から登録されている護身用キーワードを読出す。ステップＳ３２で、マイク２０、及びＡ／Ｄ変換部３８を介して音声データを取り込む。ステップＳ３４で、読出した護身用キーワードと音声データとを比較し、ステップＳ３６で護身用キーワードと音声データとが一致するかどうかを判断する。判断が否定された場合には、ステップＳ３２へ戻り、以下の処理を繰り返す。判断が肯定された場合には、ステップＳ３８で、当該音声データを声紋判断部３２へ出力して、ステップＳ３２へ戻り、以下の処理を繰り返す。本処理は、護身用モードボタン２７が再び押されて護身モードがオフされるまで繰り返される。
【００４０】
また、図７に示すように、声紋判断部３２は、ステップＳ４０で、登録されている声紋データをメモリ３６から読出す。ステップＳ４２で、キーワード判断部３４からの音声データの入力があるまで待機する。音声データの入力があった場合には、ステップＳ４４で、メモリ３６から読出した声紋データと、入力された音声データの声紋とを比較し、ステップＳ４６でメモリ３６から読出した声紋データの声紋と入力された音声データの声紋とが一致するかどうかを判断する。判断が否定された場合には、ステップＳ４２へ戻り、以下の処理を繰り返す。判断が肯定された場合には、ステップＳ４８で、ＣＰＵ３０へ護身機能作動信号を出力して本処理を終了する。
【００４１】
上記キーワード判断処理、及び声紋判断処理によれば、護身用キーワードを登録した本人がこの護身用キーワードを発声することにより、護身機能作動信号を出力させることができる。したがって、急迫時においてもスイッチ操作なしで、確実に後述する護身機能作動処理を実行させることができる。また、スイッチ操作による実行ではなく、キーワード及び声紋により実行させるので、不用意にスイッチが操作されることによる誤操作も防止することができる。
【００４２】
なお、上記のキーワード判断処理及び声紋判断処理を、入力された音声が一定の音量以上の場合にのみ行うこともできる。護身の必要時の声は、助けを求めたり相手方を怯ませたりするために、通常時の声よりも大きいものである。このように、集音された音声が所定の音量以上の場合にキーワード判断処理及び声紋判断処理をおこなうことにより、通常の会話中に護身用キーワードが含まれていた場合に後述の護身機能作動処理が実行されるのを防止することができる。
【００４３】
ＣＰＵ３０は、護身機能作動信号が入力されると、図８に示す護身機能作動処理を実行する。
【００４４】
ステップＳ５０で、デジタルカメラ１０の電源をオンにする。これにより、ＣＣＤ４６からは、所定のフレームレートで画像データが取り込まれ、取り込まれた画像データがモニタ２８に表示される。また、マイク２０も音声データの取り込みを開始する。
【００４５】
ステップＳ５２で、音声発生回路５０に護身ブザー音発生指示が行われる。この指示を受けた音声発生回路５０では所定の処理が行われ、スピーカ１８から護身ブザー音が発せられる。これにより、相手方を威嚇することができる。
【００４６】
ステップＳ５４で、発光制御部４２に発光指示が行われる。この指示を受けた発光制御部４２では発光部１４から閃光が出力されるように発光部１４を制御し、これにより発光部１４が閃光を出力する。これにより、相手方の目を眩ませたり、視力を低下させたりすることができる。
【００４７】
ステップＳ５６で、ＣＣＤ４６から取り込まれた画像データのメモリ３６への記録指示が行われる。この指示により、ＣＣＤ４６で受光された被写体からの光が光電変換され、Ａ／Ｄ変換部４４、信号処理部４８を介してメモリ３６に記録される。これにより、相手方を撮影しておき、後日人物の特定などに用いることができる。
【００４８】
ステップＳ５８で、マイク２０から取り込まれた音声データのメモリ３６への記録指示が行われる。この指示により、マイク２０は、音声を集音し、Ａ／Ｄ変換部３８を介して、音声データをメモリ３６に出力して記録する。これにより、相手方の会話などを録音しておき、後日犯罪の証拠などに用いることができる。
【００４９】
なお、護身機能としては、上記の護身機能作動処理で実行されるものに限定されるものではない。例えば、護身手段として高電圧銃ヘッドを備えてこれを作動させたり、護身手段として拡声器を備えてユーザーの声を拡声して出力したり、護身手段として通信可能な装置を備えて現場の音声や画像を取り込んで所定の連絡先にリアルタイムに送信したりすることもできる。
【００５０】
また、本実施形態では、デジタルスチルカメラを護身装置とした例について説明したが、ビデオカメラ、携帯電話、ＣＤプレーヤー、ＭＤプレーヤー、などに適用することも可能である。
【００５１】
【発明の効果】
以上説明したように、本発明によれば、集音された音声の声紋と前記記憶手段に記憶されたユーザーの声紋とが一致すると声紋判断手段により判断され、かつ、集音された音声に前記護身用のキーワードが含まれているとキーワード判断部により判断された場合に護身手段を作動されるので、急迫時においても、スイッチ操作なしで確実に誤操作なく、護身装置の護身手段を作動させることができる。
【図面の簡単な説明】
【図１】本実施形態のデジタルカメラを前面から見た斜視図である。
【図２】本実施形態のデジタルカメラの背面図である。
【図３】本実施形態のデジタルカメラの一部の概略ブロック図である。
【図４】登録処理のフローチャートである。
【図５】登録処理中のモニタ表示を示す図である。
【図６】キーワード判断処理のフローチャートである。
【図７】声紋判断処理のフローチャートである。
【図８】護身機能作動処理のフローチャートである。
【符号の説明】
１０  デジタルカメラ（護身装置）
１４  発光部（閃光手段）
１６  撮影レンズ（撮像手段）
１８  スピーカ（護身手段）
２０  マイク（集音マイク、録音手段）
３０  ＣＰＵ（作動手段）
３２  声紋判断部（声紋判断手段）
３４  キーワード判断部（キーワード判断手段）
３６  メモリ（記憶手段）
４６  ＣＣＤ（撮像手段）
【図１】
2004171429.tif 000003
【図２】
2004171429.tif 000004
【図３】
2004171429.tif 000005
【図４】
2004171429.tif 000006
【図５】
2004171429.tif 000007
【図６】
2004171429.tif 000008
【図７】
2004171429.tif 000009
【図８】
2004171429.tif 000010